(57)【要約】【課題】  テニスのサーブやストローク等の練習に役立って各種プレーの技術の向上を図れることは勿論のうえ、サーブ等の練習を連続して好適に行えると共に、取扱性にも優れ、然も、組み立ても簡単に行えるようにする。【解決手段】  縦長の略長方形状に形成された枠体１と、枠体１に張設されたネット２と、枠体１に取り付けられ、テニスコートに接地する脚体３と、少なくとも脚体３をテニス用ネットＮに着脱自在に取り付ける複数の取り付け具４とから成り、少なくとも枠体１及びネット２の一部分がテニス用ネットＮの上辺から上方へ突出する構成とする。【選択図】      図３
2009213527.tif 000002
【特許請求の範囲】
【請求項１】
縦長の略長方形状に形成された枠体（１）と、枠体（１）に張設されたネット（２）と、枠体（１）に取り付けられ、テニスコートに接地する脚体（３）と、少なくとも脚体（３）をテニス用ネット（Ｎ）に着脱自在に取り付ける複数の取り付け具（４）とから成り、少なくとも枠体（１）及びネット（２）の一部分がテニス用ネット（Ｎ）の上辺から上方へ突出する構成としたことを特徴とするテニス用練習器具。
【請求項２】
縦長の略長方形状に形成された枠体（１）と、枠体（１）に張設されたネット（２）と、枠体（１）に取り付けた脚体（３）と、テニスコートに設置され、脚体（３）が起立姿勢で支持されるスタンド（５）とから成り、少なくとも枠体（１）及びネット（２）の一部分がテニス用ネット（Ｎ）の上辺から上方へ突出する構成としたことを特徴とするテニス用練習器具。
【請求項３】
縦長の略長方形状に形成された左右の枠体（１）と、左右の枠体（１）に夫々張設された左右のネット（２）と、左右の枠体（１）に夫々取り付けられ、テニスコートに接地する左右の脚体（３）と、少なくとも左右の脚体（３）をテニス用ネット（Ｎ）に着脱自在に取り付ける複数の取り付け具（４）と、左右の枠体（１）間にテニス用ネット（Ｎ）と平行に張設された高さ調整自在な索条（６）とから成り、少なくとも左右の枠体（１）及びネット（２）の一部分がテニス用ネット（Ｎ）の上辺から上方へ突出すると共に、索条（６）がテニス用ネット（Ｎ）の上辺よりも上方に位置する構成としたことを特徴とするテニス用練習器具。
【請求項４】
縦長の略長方形状に形成された左右の枠体（１）と、左右の枠体（１）に夫々張設された左右のネット（２）と、左右の枠体（１）に夫々取り付けた左右の脚体（３）と、少なくともテニスコートに設置され、左右の脚体（３）が夫々起立姿勢で支持される左右のスタンド（５）と、左右の枠体（１）間にテニス用ネット（Ｎ）と平行に張設された高さ調整自在な索条（６）とから成り、少なくとも左右の枠体（１）及びネット（２）の一部分がテニス用ネット（Ｎ）の上辺から上方へ突出すると共に、索条（６）がテニス用ネット（Ｎ）の上辺よりも上方に位置する構成としたことを特徴とするテニス用練習器具。
【請求項５】
ネット（２）を省略したことを特徴とする請求項１、請求項２、請求項３又は請求項４に記載のテニス用練習器具。
【請求項６】
ネット（２）は、下端部が開放された縦長の袋状に形成されており、枠体（１）の上端部から枠体（１）に着脱自在に被せられるようにしたことを特徴とする請求項１、請求項２、請求項３又は請求項４に記載のテニス用練習器具。
【請求項７】
ネット（２）の下端部開口部分に、枠体（１）の下端部を周囲から締め付ける環状のゴムバンド（２ａ）を取り付けたことを特徴とする請求項６に記載のテニス用練習器具。
【請求項８】
枠体（１）に脚体（３）を上下方向へスライド調整自在に取り付け、枠体（１）及びネット（２）の高さを可変調整できる構成としたことを特徴とする請求項１、請求項２、請求項３、請求項４又は請求項５に記載のテニス用練習器具。
【請求項９】
脚体（３）は、その下端部にウエイト（３ｃ）を備えていることを特徴とする請求項１、請求項２、請求項３、請求項４又は請求項５に記載のテニス用練習器具。
【請求項１０】
索条（６）にシート状の標的（７）を１枚又は複数枚吊り下げたことを特徴とする請求項３、請求項４又は請求項５に記載のテニス用練習器具。
【発明の詳細な説明】
【技術分野】
【０００１】
本発明は、テニスのサーブやストローク等の練習に用いるものであり、特に、サーブ等の練習を行う際に標的として使用したり、或いはボールのコースを見極めるための目標として使用し、サーブやストローク等の練習に大いに役立つと共に、技術の向上を図れるようにしたテニス用練習器具に関するものである。
【背景技術】
【０００２】
一般に、テニスのサーブ等の練習に於いては、選手がボールのコースやボールの最終到達点等を目視しながらサーブ等の練習を行っている。
しかし、この場合には、ボールの通過コースやボールの最終到達点に目印となるものが無いため、実際にボールが所定のコースを通過したかどうか、或いはボールが所定の位置に到達したかどうか、正確に分かり難いと云う問題があった。
【０００３】
そこで、本件出願人は、これらの問題を解決するため、新しい球技用練習器具を開発し、これを特開２００６−２２３７３３号公報として公開している（特許文献１参照）。
即ち、前記球技用練習器具は、図１３に示す如く、長方形状に形成された枠体１０と、枠体１０内に張設されたネット１１と、枠体１０及びネット１１に取り付けられ、テニス用ネットＮに着脱自在に係止される複数の係止具１２とから成り、枠体１０及びネット１１の一部分がテニス用ネットＮの上辺から上方へ突出する姿勢でテニス用ネットＮに複数の係止具１２を介して平行に取り付けるようにしたものである。
【０００４】
而して、上述した球技用練習器具を用いてテニスのサーブやストローク等の練習を行う場合には、図１５に示す如く、球技用練習器具をその枠体１０及びネット１１の一部分がテニス用ネットＮの上辺から上方へ突出する姿勢で複数の係止具１２によりテニス用ネットＮに取り付ける。
この状態で選手は、球技用練習器具を標的に見立て、ボールが標的に当たるように相手のコートを狙ってボールを打ち込んだり、或いは球技用練習器具をボールのコースを見極めるための目標に見立て、ボールが目標に当たらないように相手のコートを狙ってボールを打ち込む。
その結果、この球技用練習器具を用いれば、サーブ等の練習に役立つうえ、攻撃時に高い精度が必要になって技術の向上を図れると共に、攻撃の工夫を習得するのに役立つことになる。
【０００５】
このように、従来の球技用練習器具は、優れた作用効果を奏するものである。しかし、この球技用練習器具にも未だ解決すべき問題点が残されている。
即ち、従来の球技用練習器具は、テニス用ネットＮにテニスコートから浮いた状態で取り付けるようにしているため、ボールがネット１１や枠体１０に当たった際にそのときの衝撃によりテニス用ネットＮ及び球技用練習器具が前後方向へ大きく揺れ、揺れが止まるまでに時間が掛かっていた。そのため、連続してサーブ等の練習を行えないと云う問題があった。
又、従来の球技用練習器具は、テニス用ネットＮへの取り付け高さを変えることができ、変化に飛んだ練習を行えるが、球技用練習器具の取り付け高さを変える場合には、複数の係止具１２を一旦ネット１１から外し、再度複数の係止具１２をネット１１に係止しなければならず、球技用練習器具の取り付け高さを変えるのに極めて手数が掛かり、取扱性に劣ると云う問題があった。
更に、従来の球技用練習器具は、枠体１０に形成した複数の貫通孔（図示省略）に合成繊維製の一本のロープを順次挿通し、ロープを格子状に組み合わせることによってネット１１を形成するようにしているため、枠体１０内にネット１１を張設するのに手数が掛かり、組み立てにも時間が掛かると云う問題があった。
【特許文献１】特開２００６−２２３７３３号公報
【発明の開示】
【発明が解決しようとする課題】
【０００６】
本発明は、このような問題点に鑑みて為されたものであり、その目的は、サーブやストローク等の練習に役立って各種プレーの技術の向上を図れることは勿論のうえ、サーブ等の練習を連続して好適に行えると共に、取扱性にも優れ、然も、組み立ても簡単に行えるようにしたテニス用練習器具を提供することにある。
【課題を解決するための手段】
【０００７】
上記目的を達成するために、本発明の請求項１の発明は、縦長の略長方形状に形成された枠体と、枠体に張設されたネットと、枠体に取り付けられ、テニスコートに接地する脚体と、少なくとも脚体をテニス用ネットに着脱自在に取り付ける複数の取り付け具とから成り、少なくとも枠体及びネットの一部分がテニス用ネットの上辺から上方へ突出する構成としたことに特徴がある。
【０００８】
本発明の請求項２の発明は、縦長の略長方形状に形成された枠体と、枠体に張設されたネットと、枠体に取り付けた脚体と、テニスコートに設置され、脚体が起立姿勢で支持されるスタンドとから成り、少なくとも枠体及びネットの一部分がテニス用ネットの上辺から上方へ突出する構成としたことに特徴がある。
【０００９】
本発明の請求項３の発明は、縦長の略長方形状に形成された左右の枠体と、左右の枠体に夫々張設された左右のネットと、左右の枠体に夫々取り付けられ、テニスコートに接地する左右の脚体と、少なくとも左右の脚体をテニス用ネットに着脱自在に取り付ける複数の取り付け具と、左右の枠体間にテニス用ネットと平行に張設された高さ調整自在な索条とから成り、少なくとも左右の枠体及びネットの一部分がテニス用ネットの上辺から上方へ突出すると共に、索条がテニス用ネットの上辺よりも上方に位置する構成としたことに特徴がある。
【００１０】
本発明の請求項４の発明は、縦長の略長方形状に形成された左右の枠体と、左右の枠体に夫々張設された左右のネットと、左右の枠体に夫々取り付けた左右の脚体と、少なくともテニスコートに設置され、左右の脚体が夫々起立姿勢で支持される左右のスタンドと、左右の枠体間にテニス用ネットと平行に張設された高さ調整自在な索条とから成り、少なくとも左右の枠体及びネットの一部分がテニス用ネットの上辺から上方へ突出すると共に、索条がテニス用ネットの上辺よりも上方に位置する構成としたことに特徴がある。
【００１１】
本発明の請求項５の発明は、請求項１、請求項２、請求項３又は請求項４の発明に於いて、ネットを省略したことに特徴がある。
【００１２】
本発明の請求項６の発明は、請求項１、請求項２、請求項３又は請求項４の発明に於いて、ネットは、下端部が開放された縦長の袋状に形成されており、枠体の上端部から枠体に着脱自在に被せられるようにしたことに特徴がある。
【００１３】
本発明の請求項７の発明は、請求項６の発明に於いて、ネットの下端部開口部分に、枠体の下端部を周囲から締め付ける環状のゴムバンドを取り付けたことに特徴がある。
【００１４】
本発明の請求項８の発明は、請求項１、請求項２、請求項３、請求項４又は請求項５の発明に於いて、枠体に脚体を上下方向へスライド調整自在に取り付け、枠体及びネットの高さを可変調整できる構成としたことに特徴がある。
【００１５】
本発明の請求項９の発明は、請求項１、請求項２、請求項３、請求項４又は請求項５の発明に於いて、脚体は、その下端部にウエイトを備えていることに特徴がある。
【００１６】
本発明の請求項１０の発明は、請求項３、請求項４又は請求項５の発明に於いて、索条にシート状の標的を１枚又は複数枚吊り下げたことに特徴がある。
【発明の効果】
【００１７】
本発明の請求項１のテニス用練習器具は、縦長の略長方形状に形成された枠体と、枠体に張設されたネットと、枠体に取り付けられ、テニスコートに接地する脚体と、少なくとも脚体をテニス用ネットに着脱自在に取り付ける複数の取り付け具とから成り、少なくとも枠体及びネットの一部分がテニス用ネットの上辺から上方へ突出する姿勢でテニス用ネットに取りける構成としているため、サーブ等の練習をする際にテニス用ネットの上辺から上方へ突出する枠体及びネットが標的となったり、或いはコースを見極めるための目標となるうえ、枠体及びネットにより攻撃できる範囲が狭められて攻撃が制約を受けることになる。その結果、サーブやストローク等の各種プレーの練習に役立つうえ、攻撃時に高い精度が必要になって技術の向上を図れると共に、攻撃の工夫を習得するのに役立つ。
又、このテニス用練習器具は、テニスコートに接地する脚体を備えているため、ボールが枠体やネットに当たってもテニス用ネットやテニス用練習器具が前後方向へ大きく揺れると云うことがなく、連続してサーブ等の練習を好適に行うことができる。
【００１８】
本発明の請求項２のテニス用練習器具は、縦長の略長方形状に形成された枠体と、枠体に張設されたネットと、枠体に取り付けた脚体と、テニスコートに設置され、脚体が起立姿勢で支持されるスタンドとから成り、少なくとも枠体及びネットの一部分がテニス用ネットの上辺から上方へ突出する姿勢でスタンドを介してテニスコートに自立できる構成としているため、本発明の請求項１のテニス用練習器具と同様の作用効果を奏することができる。
又、このテニス用練習器具は、スタンドを介してテニスコートに自立できる構成としているため、サーブ等の練習時には脚体等を取り付け具によりテニス用ネットに取り付ける必要もなく、テニス用ネットに近接する状態でテニスコートに置くだけで良く、取扱性にも極めて優れたものとなる。
【００１９】
本発明の請求項３のテニス用練習器具は、縦長の略長方形状に形成された左右の枠体と、左右の枠体に夫々張設された左右のネットと、左右の枠体に夫々取り付けられ、テニスコートに接地する左右の脚体と、少なくとも左右の脚体をテニス用ネットに着脱自在に取り付ける複数の取り付け具と、左右の枠体間にテニス用ネットと平行に張設された高さ調整自在な索条とから成り、少なくとも左右の枠体及びネットの一部分がテニス用ネットの上辺から上方へ突出すると共に、索条がテニス用ネットの上辺よりも上方に位置する構成としているため、本発明の請求項１のテニス用練習器具と同様の作用効果を奏することができる。
又、このテニス用練習器具は、左右の枠体間にテニス用ネットと平行に張設された高さ調整自在な索条を備えているため、テニス用ネットの上辺と索条との間にボールを打ち込むことによってストロークの練習をコントロールに気をつけながら行うことができる。然も、索条の高さを変えることによってテニス用ネットの上辺と索条との間隔を可変調整することができるため、より変化に飛んだ練習を行うことができる。
【００２０】
本発明の請求項４のテニス用練習器具は、縦長の略長方形状に形成された左右の枠体と、左右の枠体に夫々張設された左右のネットと、左右の枠体に夫々取り付けた左右の脚体と、少なくともテニスコートに設置され、左右の脚体が夫々起立姿勢で支持される左右のスタンドと、左右の枠体間にテニス用ネットと平行に張設された高さ調整自在な索条とから成り、少なくとも左右の枠体及びネットの一部分がテニス用ネットの上辺から上方へ突出すると共に、索条がテニス用ネットの上辺よりも上方に位置する構成としているため、本発明の請求項１、請求項２及び請求項３のテニス用練習器具と同様の作用効果を奏することができる。
又、このテニス用練習器具は、左右のスタンド及び高さ調整自在な索条を備えているため、テニスコート以外の地面に自立させ、索条の高さをテニス用ネットの上辺と同じ高さ位置に調整することによってテニスコートのない場所であってもテニスの練習を行うことができる。
【００２１】
本発明の請求項５のテニス用練習器具は、ネットを省略する構成としているため、サーブやストローク等の練習時にテニス用ネットの上辺から上方へ突出する枠体内へボールを通すことによって遊戯的要素やゲーム的要素を増大させることができ、テニスの練習をより楽しいものにすることができる。
【００２２】
本発明の請求項６のテニス用練習器具は、ネットが縦長の袋状に形成されており、ネットを枠体の上端部から枠体に着脱自在に被せられるようにしているため、枠体にネットを被せるだけで枠体にネットを張設することができ、組み立てを簡単且つ容易に行うことができる。
又、このテニス用練習器具は、ネットが枠体に対して着脱自在となっているため、サーブやストローク等の練習時にネットを枠体から取り外すことによって本発明の請求項５のテニス用練習器具と同様の作用効果を奏することができる。
【００２３】
本発明の請求項７のテニス用練習器具は、ネットの開口部分に、枠体の下端部を周囲から締め付ける環状のゴムバンドを取り付けているため、ネットを枠体に被せるだけでネットが枠体に固定されることになり、組み立てをより簡単且つ容易に行うことができる。
【００２４】
本発明の請求項８のテニス用練習器具は、枠体に脚体を上下方向へスライド調整自在に取り付け、枠体及びネットの高さを可変調整できる構成としているため、プレーヤーの背の高さやプレーヤーの能力、練習の種類等に応じて枠体及びネットの高さを変えることができ、変化に飛んだ練習を行える。
又、このテニス用練習器具は、枠体及びネットの高さ調整を行う際に枠体を脚体に対して上下方向へスライドさせるだけ良く、高さ調整を簡単且つ容易に行え、取扱性もに極めて優れたものとなる。
【００２５】
本発明の請求項９のテニス用練習器具は、脚体がその下端部にウエイトを備えているため、テニス用練習器具の重心が低くなってテニスコート等に安定した姿勢で接地されることになり、サーブ等の練習時に枠体やネットにボールが衝突しても、テニス用練習器具やテニス用ネットがより揺れ難くなり、サーブ等の練習をより好適に行うことができる。
【００２６】
本発明の請求項１０のテニス用練習器具は、索条にシート状の標的を１枚又は複数枚吊り下げる構成としているため、ただ単にボールを枠体やネット等に向かって打つだけに比べて特定の目標に向かってボールを打つことができ、一段と厳しいコントロールが要求され、テニスの練習をより一層好適に行うことができる。
又、このテニス用練習器具は、ボールがシート状の標的に当たった場合、シート状の標的が姿勢変化してその衝撃を吸収するため、ボールの衝突によるテニス用練習器具やテニス用ネットの揺れがより少なくなり、サーブ等の練習をより一層好適に行うことができる。
更に、このテニス用練習器具は、標的を備えているため、遊戯的要素やゲーム的要素を併せ持ち、テニスの練習をより一層楽しいものにすることができる。
【発明を実施するための最良の形態】
【００２７】
以下、本発明の実施形態を図面に基づいて詳細に説明する。
図１乃至図３は本発明の第１の実施形態に係るテニス用練習器具を示し、当該テニス用練習器具は、テニスのサーブやストローク等の練習時に用いるものであり、下端部側がテニスコートに接地すると共に、上端部側がテニス用ネットＮの上辺から上方へ突出する姿勢でテニス用ネットＮの適宜の箇所に取り付けられるものである。
【００２８】
即ち、前記テニス用練習器具は、縦長の略長方形状に形成された枠体１と、枠体１に張設されたネット２と、枠体１に上下方向へスライド調整自在に取り付けられ、テニスコートに接地するウエイト３ｃ付きの脚体３と、少なくとも脚体３をテニス用ネットＮに着脱自在に取り付ける複数の取り付け具４とから成り、少なくとも枠体１及びネット２の一部分がテニス用ネットＮの上辺から上方へ突出する姿勢でテニス用ネットＮに取り付け具４を介して平行に取り付けられている。
【００２９】
具体的には、前記枠体１は、アルミ合金等の金属パイプにより略逆Ｕ字状に形成された枠部１ａと、両端部が枠部１ａの左右の長辺部分に夫々溶着され、左右の長辺部分の下端部同士を連結するアルミ合金等の金属板製の連結板１ｂとから成る。
又、枠部１ａの表面及び連結板１ｂの表面は、遠くからでも目立つように黄色等の塗料により夫々カラー塗装が施されていると共に、連結板１ｂの片面若しくは両面には、宣伝効果等を高められるように製品名や会社名等が表記されている。
更に、枠体１の左右の長辺部分下端部位置には、後述する脚体３を枠体１に固定するための締め付けボルト１ｃが長辺部分の軸心と直交する姿勢で夫々螺挿されている。
【００３０】
前記ネット２は、合成繊維製のロープにより下端部が開放された縦長の袋状に形成されており、枠体１の上端部から枠体１に着脱自在に被せられるようになっている。
又、ネット２の下端部開口部分には、枠体１の下端部を周囲から締め付ける環状のゴムバンド２ａが取り付けられている。
そして、ネット２は、枠体１の上端部から枠体１に着脱自在に被せられており、枠体１に被せることによって枠体１に張設されると共に、環状のゴムバンド２ａの収縮する力によって枠体１に固定されて枠体１から抜け止めされている。
【００３１】
前記脚体３は、枠体１の左右の長辺部分に上下方向へスライド調整自在に取り付けられており、脚体３を枠体１に対してスライド調整することによって枠体１及びネット２の高さを無段階で可変調整できるようになっている。
即ち、脚体３は、アルミ合金等の直線状の金属パイプにより形成され、枠体１の左右の長辺部分に夫々上下方向へスライド自在に挿入された左右の脚部３ａと、両端部が左右の脚部３ａの下端部外周面に夫々溶着され、左右の脚部３ａ同士を連結するアルミ合金等の金属板製の下部連結板３ｂと、左右の枠部１ａ内に夫々挿入された鉄製の棒状のウエイト３ｃと、左右の脚部３ａの下端部に嵌合され、ウエイト３ｃを抜け止めする合成樹脂製のキャップ３ｄとから成り、枠体１の左右の長辺部分に夫々螺挿した締め付けボルト１ｃを締め付けることによって枠体１にスライド不能に固定され、又、締め付けボルト１ｃを緩めることによって枠体１に対してスライド自在となる。
従って、テニスコートに接地する脚体３は、これを枠体１に対してスライド調整することによって枠体１及びネット２の高さを無段階で可変調整することができる。
又、左右の脚部３ａの表面及び下部連結板３ｂの表面は、枠体１と同様に遠くからでも目立つように黄色等の塗料により夫々カラー塗装が施されていると共に、下部連結板３ｂの片面若しくは両面には、宣伝効果等を高められるように製品名や会社名等が表記されている。
【００３２】
前記取り付け具４は、同じ構造のものが複数使用されており、枠体１の連結板１ｂをテニス用ネットＮの上辺に位置する帯片Ｎａやテニス用ネットＮのネット部分に着脱自在に取り付ける共に、脚体３の左右の脚部３ａをテニス用ネットＮのネット部分に着脱自在に取り付けるものである。
即ち、各取り付け具４は、テープ状の基布の片面に多数のフック部を設けた雄型面ファスナー４ａと、雄型面ファスナー４ａの一端部に縫着され、テープ状の基布の片面に多数のループ部を設けた雌型面ファスナー４ｂとから成る面ファスナーの構造に構成されており、雄型面ファスナー４ａと雌型面ファスナー４ｂとは、フック部とループ部とが夫々反対側を向くように縫着されている。
又、複数の取り付け具４のうち、二つの取り付け具４は、その一端部が枠体１の連結板１ｂにリベットを介して夫々取り付けられており、枠体１の連結板１ｂとテニス用ネットＮの上辺に位置する帯片Ｎａに巻き付け、雄型面ファスナー４ａと雌型面ファスナー４ｂとを貼り付けることによって枠体１の連結板１ｂをテニス用ネットＮの帯片Ｎａに取り付けることができるようになっている。尚、枠体１及びネット２の高さを調整してこれらを低くした場合には、連結板１ｂに取り付けた取り付け具４を枠体１の連結板１ｂとテニス用ネットＮのネット部分とに巻き付け、雄型面ファスナー４ａと雌型面ファスナー４ｂとを貼り付けることによって枠体１の連結板１ｂをテニス用ネットＮのネット部分に取り付けることができるようになっている。
更に、残りの複数の取り付け具４は、脚部３ａが枠体１に対してスライドする際に邪魔にならないように脚体３から取り外されており、脚体３の左右の脚部３ａとテニス用ネットＮのネット部分に巻き付け、雄型面ファスナー４ａと雌型面ファスナー４ｂとを貼り付けることによって脚体３の左右の脚部３ａをテニス用ネットＮのネット部分に取り付けることができるようになっている。
【００３３】
尚、この実施形態に於いては、枠体１の高さは、１０００ｍｍ〜１５００ｍｍ程度に、枠体１の幅は、２００ｍｍ〜３００ｍｍ程度に、脚体３の高さは、１０００ｍｍ〜１５００ｍｍ程度に夫々設定されている。
又、この実施形態に於いては、ネット２の長さは、ネット２を枠体１に被せたときにゴムバンド２ａが連結板１ｂの上辺部分に対向する程度に設定されている。
【００３４】
次に、上述したテニス用練習器具を使用してテニスの種々のプレーを練習する場合について説明する。
例えば、テニス用練習器具を用いてテニスのサーブやストローク等の練習を行う場合には、図３に示す如く、テニス用練習器具をその枠体１及びネット２の一部分がテニス用ネットＮの上辺から上方へ突出し且つ脚体３がテニスコートに接地する姿勢で複数の取り付け具４によりテニス用ネットＮに取り付ける。このとき、テニス用練習器具は、ボールを打ち込む位置に応じてテニス用ネットＮのセンターライン付近やサイドライン付近に取り付ける。又、テニス用練習器具は、テニス用ネットＮに一つだけ取り付けるようにしても良く、或いは複数取り付けるようにしても良い。
【００３５】
テニス用練習器具をテニス用ネットＮにセットしたら、この状態でプレーヤーは、テニス用練習器具のテニス用ネットＮの上辺から上方へ突出する部分（枠体１及びネット２の一部分）を標的に見立て、ボールが標的に当たるように相手のコートを狙ってボールを打ち込んだり、或いはテニス用練習器具のテニス用ネットＮの上辺から上方へ突出する部分（枠体１及びネット２の一部分）をボールのコースを見極めるための目標に見立て、ボールが目標に当たらないように相手のコートを狙ってボールを打ち込む。
【００３６】
このテニス用練習器具を用いれば、サーブ等の練習に役立つうえ、攻撃時に高い精度が必要になって技術の向上を図れると共に、攻撃の工夫を習得するのに役立つことになる。
又、このテニス用練習器具は、テニスコートに接地する脚体３を備えているため、ボールが枠体１やネット２に当たってもテニス用ネットＮやテニス用練習器具が前後方向へ大きく揺れると云うことがなく、連続してサーブ等の練習を好適に行うことができる。然も、このテニス用練習器具は、脚体３がその下端部にウエイト３ｃを備えているため、テニス用練習器具の重心が低くなってテニスコートに安定した姿勢で接地されることになり、テニス用練習器具やテニス用ネットＮがより一層揺れ難くなり、サーブ等の練習をより好適に行うことができる。
更に、このテニス用練習器具は、ネット２が縦長の袋状に形成されており、ネット２を枠体１の上端部から枠体１に着脱自在に被せられるようにしているため、枠体１にネット２を被せるだけで枠体１にネット２を張設することができ、組み立てを簡単且つ容易に行うことができる。然も、このテニス用練習器具は、ネット２の開口部分に、枠体１の下端部を周囲から締め付ける環状のゴムバンド２ａを取り付けているため、ネット２を枠体１に被せるだけでネット２が枠体１に固定されることになり、組み立てをより簡単且つ容易に行うことができる。
加えて、このテニス用練習器具は、枠体１に脚体３を上下方向へスライド調整自在に取り付け、枠体１及びネット２の高さを可変調整できる構成としているため、プレーヤーの背の高さやプレーヤーの能力、練習の種類等に応じて枠体１及びネット２の高さを変えることができ、変化に飛んだ練習を行える。然も、このテニス用練習器具は、枠体１及びネット２の高さ調整を行う際に枠体１を脚体３に対して上下方向へスライドさせるだけ良く、高さ調整を簡単且つ容易に行え、取扱性にも極めて優れたものとなる。
【００３７】
図４及び図５は本発明の第２の実施形態に係るテニス用練習器具を示し、当該テニス用練習器具は、テニスのサーブやストローク等の練習時に用いるものであり、上端部側がテニス用ネットＮの上辺から上方へ突出する姿勢でテニス用ネットＮ近傍のテニスコートに自立できるものである。
【００３８】
即ち、前記テニス用練習器具は、縦長の略長方形状に形成された枠体１と、枠体１に張設されたネット２と、枠体１に上下方向へスライド調整自在に取り付けたウエイト３ｃ付きの脚体３と、テニスコートに設置され、脚体３が起立姿勢で支持されるスタンド５とから成り、少なくとも枠体１及びネット２の一部分がテニス用ネットＮの上辺から上方へ突出する姿勢でスタンド５を介してテニス用ネットＮ近傍のテニスコートに自立できる構成となっている。
このテニス用練習器具は、取り付け具４を省略し、スタンド５によりテニス用練習器具をテニスコートに自立できる構成としたものであり、枠体１、ネット２及び脚体３は第１の実施形態に係るテニス用練習器具（図１及び図２に示すもの）の枠体１、ネット２及び脚体３と同様構造に構成されており、図１及び図２に示すテニス用練習器具と同じ部位・部材には同一の参照番号を付し、その詳細な説明を省略する。
【００３９】
前記スタンド５は、上面に脚体３の左右の脚部３ａが抜き差し自在に挿入される一対の挿入穴５ａを形成した金属製又はプラスチック製の容器に水又は砂を入れたものであり、容器の挿入穴５ａに脚体３の脚部３ａを挿入することによってテニス用練習器具を自立させることができる。このスタンド５は、容器内に水又は砂を入れているため、ウエイトとしての機能も有する。
【００４０】
上述した第２の実施形態に係るテニス用練習器具は、少なくとも枠体１及びネット２の一部分がテニス用ネットＮの上辺から上方へ突出する姿勢でスタンド５を介してテニスコートに自立できる構成としているため、上述した第１の実施形態に係るテニス用練習器具（図１及び図２に示すもの）と同様の作用効果を奏することかできる。然も、このテニス用練習器具は、スタンド５を介してテニスコートに自立できる構成としているため、サーブ等の練習時にテニス用ネットＮに近接する状態でテニスコートに置くだけで良く、脚体３等を取り付け具４によりテニス用ネットＮに取り付ける必要もなく、取扱性に極めて優れたものとなる。
【００４１】
図６及び図７は本発明の第３の実施形態に係るテニス用練習器具を示し、当該テニス用練習器具は、テニスのサーブやストローク等の練習時に用いるものであり、下端部側がテニスコートに接地すると共に、上端部側がテニス用ネットＮの上辺から上方へ突出する姿勢でテニス用ネットＮの適宜の箇所に取り付けられるものである。
【００４２】
即ち、前記テニス用練習器具は、縦長の略長方形状に形成された左右の枠体１と、左右の枠体１に夫々張設された左右のネット２と、左右の枠体１に夫々上下方向へスライド調整自在に取り付けられ、テニスコートに接地する左右のウエイト３ｃ付きの脚体３と、少なくとも左右の脚体３をテニス用ネットＮに着脱自在に取り付ける複数の取り付け具４と、左右の枠体１間にテニス用ネットＮと平行に調節された高さ調整自在な索条６とから成り、少なくとも左右の枠体１及びネット２の一部分がテニス用ネットＮの上辺から上方へ突出すると共に、索条６がテニス用ネットＮの上辺から上方位置に位置する構成としたものである。又、テニス用練習器具は、左右の枠体１、ネット２及び脚体３の間隔を変えてテニス用ネットＮに複数の取り付け具４を介して取り付けられるようになっている。
このテニス用練習器具は、図７に示す如く、枠体１、ネット２及び脚体３を左右対称状に配置すると共に、左右の枠体１間に索条６を張設し、左右の枠体１及び左右の脚体３を複数の取り付け具４を介してテニス用ネットＮに取り付けたものであり、左右の枠体１、左右のネット２、左右の脚体３及び複数の取り付け具４は第１の実施形態に係るテニス用練習器具（図１及び図２に示すもの）の枠体１、ネット２、脚体３及び取り付け具４と同様構造に構成されており、図１及び図２に示すテニス用練習器具と同じ部位・部材には同一の参照番号を付し、その詳細な説明を省略する。
【００４３】
前記索条６は、テニス用ネットＮの長さと略同じ長さの帯状の基布の片面に多数のフック部を設けた雄型面ファスナー６ａと、雄型面ファスナー６ａの両端部に夫々縫着され、テープ状の基布の片面に多数のループ部を設けた二つの雌型面ファスナー６ｂとから成る面ファスナーの構造に形成されており、雄型面ファスナー６ａと二つの雌型面ファスナー６ｂとは、フック部とループ部とが夫々同じ方向を向くように縫着されている。
この索条６は、両端の雌型面ファスナー６ｂを左右の枠体１に巻き付けて雄型面ファスナー６ａに貼り付けることによって左右の枠体１間に張設される。
【００４４】
上述した第３の実施形態に係るテニス用練習器具は、少なくとも左右の枠体１及びネット２の一部分がテニス用ネットＮの上辺から上方へ突出すると共に、索条６がテニス用ネットＮの上辺よりも上方に位置する構成としているため、上述した第１の実施形態に係るテニス用練習器具（図１及び図２に示すもの）と同様の作用効果を奏することができる。然も、このテニス用練習器具は、左右の枠体１間にテニス用ネットＮと平行に張設された高さ調整自在な索条６を備えているため、テニス用ネットＮの上辺と索条６との間にボールを打ち込むことによってストロークの練習をより好適に行うことができる。又、このテニス用練習器具は、索条６の高さを変え、テニス用ネットＮの上辺と索条６との間隔を調整することによってより一層変化に飛んだ練習を行うことができる。更に、このテニス用練習器具は、左右の枠体１及びネット２等の間隔を変えることによって更に変化に飛んだ練習を行うことができる。
【００４５】
図８及び図９は本発明の第４の実施形態に係るテニス用練習器具を示し、当該テニス用練習器具は、テニスのサーブやストローク等の練習時に用いるものであり、上端部側がテニス用ネットＮの上辺から上方へ突出する姿勢でテニス用ネットＮ近傍のテニスコートに自立できるものである。
【００４６】
即ち、前記テニス用練習器具は、縦長の略長方形状に形成された左右の枠体１と、左右の枠体１に夫々張設された左右のネット２と、左右の枠体１に夫々上下方向へスライド調整自在に取り付けた左右のウエイト３ｃ付きの脚体３と、少なくともテニスコートに設置され、左右の脚体３が夫々起立姿勢で支持される左右のスタンド５と、左右の枠体１間にテニス用ネットＮと平行に張設された高さ調整自在な索条６とから成り、少なくとも左右の枠体１及びネット２の一部分がテニス用ネットＮの上辺から上方へ突出すると共に、索条６がテニス用ネットＮの上辺から上方に位置する姿勢で左右のスタンド５を介してテニス用ネットＮ近傍のテニスコートに自立できる構成となっている。
このテニス用練習器具は、上述した第３の実施形態に係るテニス用練習器具（図６及び図７に示すもの）の取り付け具４を省略し、左右のスタンド５によりテニス用練習器具をテニスコートや地面に自立できる構成としたものであり、左右の枠体１、左右のネット２及び左右の脚体３は第１の実施形態に係るテニス用練習器具（図１及び図２に示すもの）の枠体１、ネット２及び脚体３と同様構造に構成され、又、左右のスタンド５は第２の実施形態に係るテニス用練習器具（図４に示すもの）のスタンド５と同様構造に構成されており、図１、図２及び図４に示すテニス用練習器具と同じ部位・部材には同一の参照番号を付し、その詳細な説明を省略する。
【００４７】
上述した第４の実施形態に係るテニス用練習器具は、少なくとも左右の枠体１及びネット２の一部分がテニス用ネットＮの上辺から上方へ突出すると共に、索条６がテニス用ネットＮの上辺から上方に位置する構成としているため、上述した第１、第２及び第３の実施形態に係るテニス用練習器具（図１、図４及び図６に示すもの）と同様の作用効果を奏することができる。然も、このテニス用練習器具は、左右のスタンド５及び高さ調整自在な索条６を備えているため、テニスコート以外の地面に自立させ、索条６の高さをテニス用ネットＮの上辺と同じ高さ位置に調整することによってテニスコートのない場所であってもテニスの練習を行うことができる。
【００４８】
図１０及び図１１は本発明の第５の実施形態に係るテニス用練習器具を示し、当該テニス用練習器具は、テニスのサーブやストローク等の練習時に用いるものであり、下端部側がテニスコートに接地すると共に、上端部側がテニス用ネットＮの上辺から上方へ突出する姿勢でテニス用ネットＮの適宜の箇所に取り付けられるものである。
【００４９】
即ち、テニス用練習器具は、縦長の略長方形状に形成された左右の枠体１と、左右の枠体１に夫々張設された左右のネット２と、左右の枠体１に夫々上下方向へスライド調整自在に取り付けられ、テニスコートに接地する左右のウエイト３ｃ付きの脚体３と、少なくとも左右の脚体３をテニス用ネットＮに着脱自在に取り付ける複数の取り付け具４と、左右の枠体１間にテニス用ネットＮと平行に調節された高さ調整自在な索条６と、索条６に吊り下げられた１枚又は複数枚のシート状の標的７とから成り、少なくとも左右の枠体１及びネット２の一部分がテニス用ネットＮの上辺から上方へ突出すると共に、索条６及び標的７がテニス用ネットＮの上辺から上方に位置する構成としたものである。又、テニス用練習器具は、左右の枠体１、ネット２及び脚体３の間隔を変えてテニス用ネットＮに複数の取り付け具４を介して取り付けられるようになっている。
このテニス用練習器具は、上述した第３の実施形態に係るテニス用練習器具（図６及び図７に示すもの）にシート状の標的７を加えたものであり、左右の枠体１、左右のネット２、左右の脚体３及び取り付け具４は第１の実施形態に係るテニス用練習器具（図１及び図２に示すもの）の枠体１、ネット２、脚体３及び取り付け具４と同様構造に構成され、又、索条６は第３の実施形態に係るテニス用練習器具（図６及び図７に示すもの）の索条６と同様構造に構成されており、図１、図２、図６及び図７に示すテニス用練習器具と同じ部位・部材には同一の参照番号を付し、その詳細な説明を省略する。
【００５０】
前記標的７は、合成樹脂製、合成繊維製又は布製のシート材により矩形状に形成されており、上辺部の片面側には索条６の雄型面ファスナー６ａに着脱自在に貼り付けられる雌型面ファスナー７ａが縫着されている。この標的７の両面は、遠くからでも目立つように黄色等の塗料によりカラー塗装が施されている。
又、標的７の片面又は両面には、異なる数字や異なるアルファベット等の文字を表記した表示部が形成されている。
そして、標的７は、雌型面ファスナー７ａを索条６の雄型面ファスナー６ａに貼り付けることによって索条６に吊り下げられる。
【００５１】
上述した第５の実施形態に係るテニス用練習器具は、少なくとも左右の枠体１及びネット２の一部分がテニス用ネットＮの上辺から上方へ突出すると共に、索条６がテニス用ネットＮの上辺から上方に位置する構成としているため、上述した第１及び第３の実施形態に係るテニス用練習器具（図１及び図６に示すもの）と同様の作用効果を奏することができる。然も、このテニス用練習器具は、索条６にシート状の標的７を１枚又は複数枚吊り下げる構成としているため、ただ単にボールを枠体１やネット２等に向かって打つだけに比べて特定の目標に向かってボールを打つことができ、一段と厳しいコントロールが要求され、テニスの練習をより一層好適に行うことができる。又、このテニス用練習器具は、ボールがシート状の標的７に当たった場合、シート状の標的７が姿勢変化してその衝撃を吸収するため、ボールの衝突によるテニス用練習器具やテニス用ネットＮの揺れがより少なくなり、サーブ等の練習をより一層好適に行うことができる。更に、このテニス用練習器具は、標的７を備えているため、遊戯的要素やゲーム的要素を併せ持ち、テニスの練習を楽しいものにできる。
【００５２】
図１２及び図１３は本発明の第６の実施形態に係るテニス用練習器具を示し、当該テニス用練習器具は、テニスのサーブやストローク等の練習時に用いるものであり、下端部側がテニスコートに接地すると共に、上端部側がテニス用ネットＮの上辺から上方へ突出する姿勢でテニス用ネットＮの適宜の箇所に取り付けられるものである。
【００５３】
即ち、テニス用練習器具は、縦長の略長方形状に形成された枠体１と、枠体１に上下方向へスライド調整自在に取り付けられ、テニスコートに接地するウエイト３ｃ付きの脚体３と、少なくとも脚体３をテニス用ネットＮに着脱自在に取り付ける複数の取り付け具４ととから成り、少なくとも枠体１の一部分がテニス用ネットＮの上辺から上方へ突出する構成としたものである。
このテニス用練習器具は、上述した第１の実施形態に係るテニス用練習器具（図１及び図２に示すもの）のネット２を省略したものであり、枠体１、脚体３及び取り付け具４は第１の実施形態に係るテニス用練習器具（図１及び図２に示すもの）の枠体１、脚体３及び取り付け具４と同様構造に構成されており、図１及び図２に示すテニス用練習器具と同じ部位・部材には同一の参照番号を付し、その詳細な説明を省略する。
【００５４】
上述した第６の実施形態に係るテニス用練習器具は、少なくとも枠体１の一部分がテニス用ネットＮの上辺から上方へ突出する構成としているため、上述した第１の実施形態に係るテニス用練習器具（図１及び図２に示すもの）と同様の作用効果を奏することができる。然も、このテニス用練習器具は、枠体１がテニス用ネットＮの上辺から上方へ突出しているため、サーブやストローク等の練習時に枠体内へボールを通すことによって遊戯的要素やゲーム的要素を増大させることができ、テニスの練習をより楽しいものにすることができる。
【００５５】
尚、上記の各実施形態に於いては、ウエイト３ｃを金属棒により形成し、これを左右の脚部３ａに挿入するようにしたが、他の実施形態（第６の実施形態）に於いては、図１４に示す如く、ウエイト３ｃを金属製又はプラスチック製の容器に水又は砂を入れたものとし、このウエイト３ｃを左右の脚部３ａの下端部位置に下部連結板３ｂの替わりに取り付けるようにしても良い。このウエイト３ｃを使用した場合には、容器内の水又は砂を抜くことによってテニス用練習器具の軽量化を図ることができ、テニス用練習器具を持ち運び易くなる。
【００５６】
上記の第１、第３、第５及び第６の実施形態に於いては、取り付け具４に面ファスナーを使用するようにしたが、他の実施形態に於いては、取り付け具４に特開２００６−２２３７３３号公報の図４及び図１４に示す係止具を取り付け具４として使用するようにしても良く、或いは紐状のものを取り付け具４として使用するようにしても良い。
【００５７】
上記の第２及び第４の実施形態に於いては、スタンド５は、容器内に水又は砂を入れたものとしたが、他の実施形態に於いては、スタンド５を金属ブロック又はコンクリートブロックから構成し、金属ブロック又はコンクリートブロック製のスタンド５の上面に脚体３の左右の脚部３ａが抜き差し自在に挿入される一対の挿入穴を形成するようにしても良い。
又、上記の第２及び第４の実施形態に於いては、スタンド５がウエイトとしての機能を有するため、脚体３に設けた金属棒状のウエイト３ｃを省略するようにしても良い。
【００５８】
上記の第３、第４及び第５の実施形態に於いては、索条６に帯状の面ファスナー構造のものを使用するようにしたが、他の実施形態に於いては、索条６にテニス用ネットＮと略同じ長さの布製又は合成繊維製のベルトやバンドを使用するようにしても良く、或いは索条６にロープを使用するようにしても良い。
【００５９】
上記の第５の実施形態に於いては、標的７を雌型面ファスナー７ａにより直接索条６に吊り下げるようにしたが、他の実施形態に於いては、図１１に一点鎖線で示すように標的７を面ファスナー構造の帯状の吊り下げ片８を介して索条６に吊り下げるようにしても良い。この場合には、帯状の吊り下げ片８により標的７の高さを変えることができ、より一層変化に飛んだ練習を行える。
又、上記の第５の実施形態に於いては、標的７を矩形状に形成するようにしたが、他の実施形態に於いては、標的７を三角形、五角形、六角形、八角形、台形等の多角形に形成しても良く、或いは標的７を円形、楕円形等の異形の形に形成するようにしても良い。
【００６０】
上記の第２、第３、第４、第５及び第６の実施形態に於いては、枠体１にネット２を張設する構成としたが、他の実施形態に於いては、ネット２を省略し、枠体１を標的や目標物として使用するようにしても良い。
【図面の簡単な説明】
【００６１】
【図１】本発明の第１の実施形態に係るテニス用練習器具を示し、（Ａ）はテニス用練習器具の正面図、（Ｂ）はテニス用練習器具の側面図である。
【図２】ネットを枠体から取り外し、枠体の高さを変えた状態のテニス用練習器具の正面図である。
【図３】図１に示すテニス用練習器具をテニス用ネットに取り付けてサーブ等の練習を行う場合の使用状態説明図である。
【図４】本発明の第２の実施形態に係る自立式のテニス用練習器具を示し、（Ａ）はテニス用練習器具の正面図、（Ｂ）はテニス用練習器具の側面図である。
【図５】図４に示すテニス用練習器具をテニス用ネット近傍のテニスコートに自立させてサーブ等の練習を行う場合の使用状態説明図である。
【図６】本発明の第３の実施形態に係るテニス用練習器具の正面図である。
【図７】図６に示すテニス用練習器具をテニス用ネットに取り付けてサーブ等の練習を行う場合の使用状態説明図である。
【図８】本発明の第４の実施形態に係る自立式のテニス用練習器具の正面図である。
【図９】図８に示すテニス用練習器具をテニス用ネット近傍のテニスコートに自立させてサーブ等の練習を行う場合の使用状態説明図である。
【図１０】本発明の第５の実施形態に係るテニス用練習器具の正面図である。
【図１１】図１０に示すテニス用練習器具をテニス用ネットに取り付けてサーブ等の練習を行う場合の使用状態説明図である。
【図１２】本発明の第６の実施形態に係るテニス用練習器具を示し、（Ａ）はテニス用練習器具の正面図、（Ｂ）はテニス用練習器具の側面図である。
【図１３】図１２に示すテニス用練習器具をテニス用ネットに取り付けてサーブ等の練習を行う場合の使用状態説明図である。
【図１４】本発明の第７の実施形態に係るテニス用練習器具を示し、（Ａ）はテニス用練習器具の正面図、（Ｂ）はテニス用練習器具の側面図である。
【図１５】従来の球技用練習器具をテニス用ネットＮに取り付けてサーブ等の練習を行う場合の使用状態説明図である。
【符号の説明】
【００６２】
１は枠体、２はネット、２ａはゴムバンド、３は脚体、３ｃはウエイト、４は取り付け具、５はスタンド、６は索条、７は標的、Ｎはテニス用ネット。
【図１】
2009213527.tif 000003
【図２】
2009213527.tif 000004
【図３】
2009213527.tif 000005
【図４】
2009213527.tif 000006
【図５】
2009213527.tif 000007
【図６】
2009213527.tif 000008
【図７】
2009213527.tif 000009
【図８】
2009213527.tif 000010
【図９】
2009213527.tif 000011
【図１０】
2009213527.tif 000012
【図１１】
2009213527.tif 000013
【図１２】
2009213527.tif 000014
【図１３】
2009213527.tif 000015
【図１４】
2009213527.tif 000016
【図１５】
2009213527.tif 000017